(57)【要約】【課題】薄型化を図ることの可能な両面表示型の電気光学装置を提供する。【解決手段】電気光学装置は、第１の表示パネルと、第２の表示パネルと、導光板と、光源より構成される。第２の表示パネルは、第１の表示パネルに対向して配置されてなる。導光板は、第１の表示パネルに対向する第１の出射面と、第２の表示パネルに対向する第２の出射面を有する。ここで、導光板は、端面と第１の出射面が第１の斜面で接続され、端面と第２の出射面が第２の斜面で接続され、第１の斜面と第２の斜面の間の厚さが、端面から第１及び第２の出射面に向かうに従って次第に薄くなっている。このようにすることで、第１の出射面と第２の出射面の間の厚さを一般的な矩形の導光板の厚さよりも薄くすることができ、電気光学装置の薄型化を図ることができる。【選択図】図３
2007299716.tif 000002
【特許請求の範囲】
【請求項１】
第１の表示パネルと、
前記第１の表示パネルに対向して配置されてなる第２の表示パネルと、
前記第１の表示パネルと、前記第２の表示パネルの間に配置され、前記第１の表示パネルに対向する第１の出射面と、第２の表示パネルに対向する第２の出射面を有する導光板と、
前記導光板の端面より光を入射させる光源と、を備え、
前記導光板は、前記端面と前記第１の出射面が第１の斜面で接続され、前記端面と前記第２の出射面が第２の斜面で接続され、前記第１の斜面と前記第２の斜面の間の厚さが、前記端面から前記第１及び第２の出射面に向かうに従って次第に薄くなることを特徴とする電気光学装置。
【請求項２】
前記第１の出射面上又は前記第２の出射面上のうち、少なくともどちらか一方には光学シートが配置されていることを特徴とする請求項１に記載の電気光学装置。
【請求項３】
請求項１又は２に記載の液晶表示装置を表示部に備えることを特徴とする電子機器。
【請求項４】
互いに対向する第１の出射面と第２の出射面を有する導光板と、
前記導光板の端面より光を入射させる光源と、を備え、
前記導光板は、前記端面と前記第１の出射面が第１の斜面で接続され、前記端面と前記第２の出射面が第２の斜面で接続され、前記第１の斜面と前記第２の斜面の間の厚さが、前記端面から前記第１及び第２の出射面に向かうに従って次第に薄くなることを特徴とする照明装置。
【発明の詳細な説明】
【技術分野】
【０００１】
本発明は、いわゆる両面表示型の電気光学装置に関する。
【背景技術】
【０００２】
最近では、いわゆる両面表示型の携帯電話などが普及している。両面表示型の携帯電話には、両面表示型の電気光学装置が用いられる。例えば、折り畳み式の携帯電話では、一般的に、操作ボタンなどが設けられた本体部に対して蝶番式に折り畳み可能に表示部（構造上、ふた側に相当する）が取り付けられており、表示部の内側（操作ボタンと対向する側）に大型の表示パネルが設けられ、表示部の外側（背面側）に小型の表示パネルが設けられている。即ち、大型の表示パネルと小型の表示パネルが背中合わせに設けられている。大型の表示パネル及び小型の表示パネルとしては、例えば、液晶表示パネルが用いられる。そして、これらの表示パネルに挟み込まれる形で、照明装置が設けられている。つまり、両面表示型の電気光学装置は、大型の表示パネルと、小型の表示パネルと、これらの表示パネルに挟み込まれた照明装置より構成される。両面表示型の電気光学装置は、このように携帯電話に用いられることが多いため、より薄型化されることが求められている。
【０００３】
なお、下記の特許文献１には、片面表示型の電気光学装置の薄型化を図る技術が記載されている。
【０００４】
【特許文献１】特開２００５−３３９９５６号公報
【発明の開示】
【発明が解決しようとする課題】
【０００５】
本発明は上記の点に鑑みてなされたものであり、薄型化を図ることの可能な両面表示型の電気光学装置を提供することを課題とする。
【課題を解決するための手段】
【０００６】
本発明の１つの観点では、電気光学装置は、第１の表示パネルと、前記第１の表示パネルに対向して配置されてなる第２の表示パネルと、前記第１の表示パネルと、前記第２の表示パネルの間に配置され、前記第１の表示パネルに対向する第１の出射面と、第２の表示パネルに対向する第２の出射面を有する導光板と、前記導光板の端面より光を入射させる光源と、を備え、前記導光板は、前記端面と前記第１の出射面が第１の斜面で接続され、前記端面と前記第２の出射面が第２の斜面で接続され、前記第１の斜面と前記第２の斜面の間の厚さが、前記端面から前記第１及び第２の出射面に向かうに従って次第に薄くなる。
【０００７】
上記の電気光学装置は、例えば液晶表示装置であり、第１の表示パネルと、第２の表示パネルと、導光板と、光源より構成される。ここで、導光板と光源より照明装置が構成される。第１の表示パネルと、第２の表示パネルは、例えば、液晶表示パネルである。前記第２の表示パネルは、前記第１の表示パネルに対向して配置されてなる。前記導光板は、前記第１の表示パネルに対向する第１の出射面と、前記第２の表示パネルに対向する第２の出射面を有する。前記光源は、例えばＬＥＤ（Light Emitting Diode）であり、前記導光板の端面より光を入射させる。ここで、前記導光板は、前記端面と前記第１の出射面が第１の斜面で接続され、前記端面と前記第２の出射面が第２の斜面で接続され、前記第１の斜面と前記第２の斜面の間の厚さが、前記端面から前記第１及び第２の出射面に向かうに従って次第に薄くなる。このようにすることで、第１の出射面と第２の出射面の間の厚さを一般的な矩形の導光板の厚さよりも薄くすることができ、電気光学装置の薄型化を図ることができる。
【０００８】
上記の電気光学装置の一態様は、前記第１の出射面上又は前記第２の出射面上のうち、どちらか一方には光学シートが配置されている。光学シートとしては、例えば、拡散シートやプリズムシートが挙げられる。本発明の電気光学装置では、前記第１の出射面と前記第２の出射面の間の厚さは、一般的な矩形の導光板の厚さよりも薄くなるので、前記第１の出射面上、及び、前記第２の出射面上に光学シートを配置した場合であっても、一般的な電気光学装置と比較して薄型化を図ることができる。
【０００９】
本発明の他の観点では、上記の電気光学装置を表示部に備えることを特徴とする電子機器を構成することができる。
【００１０】
本発明の更なる他の観点では、照明装置は、互いに対向する第１の出射面と第２の出射面を有する導光板と、前記導光板の端面より光を入射させる光源と、を備え、前記導光板は、前記端面と前記第１の出射面が第１の斜面で接続され、前記端面と前記第２の出射面が第２の斜面で接続され、前記第１の斜面と前記第２の斜面の間の厚さが、前記端面から前記第１及び第２の出射面に向かうに従って次第に薄くなる。これにより、照明装置の薄型化を図ることもできる。
【発明を実施するための最良の形態】
【００１１】
以下、図面を参照して本発明の好適な実施形態について説明する。尚、以下の実施形態は、本発明を液晶表示装置に適用したものである。
【００１２】
[液晶表示装置]
図１は本実施形態に係る液晶表示装置１００の概略構成を示す側面図である。なお、図１では説明の便宜上、各構成要素の間隔を開けて図示しているが、実際にはそれらは図中の上下方向に重ねられた状態で液晶表示装置１００を構成している。
【００１３】
液晶表示装置１００はいわゆる両面表示型の液晶表示装置であり、主に、照明装置９と、液晶表示パネル２０と、液晶表示パネル３０より構成される。照明装置９は、光源部１５と導光板１１により構成される。照明装置９の導光板１１の上下に液晶表示パネル２０及び３０が配置される。光源部１５は、点光源である複数のＬＥＤ１６を備える。
【００１４】
各ＬＥＤ１６から出射された光Ｌは、端面１１ｃより導光板１１内へ入り、導光板１１の上下面、即ち、互いに対向する出射面１１ａ、１１ｂで反射を繰り返すことにより方向を変え、出射面１１ａ、１１ｂから夫々、照明光Ｌａ及びＬｂとして外部へ出射する。導光板１１において、出射面１１ａは、液晶表示パネル２０に対向し、出射面１１ｂは、液晶表示パネル３０に対向している。従って、出射面１１ａから出射した光Ｌａは、液晶表示パネル２０へ向けて進み、出射面１１ｂから出射した光Ｌｂは、液晶表示パネル３０へ向けて進む。
【００１５】
液晶表示パネル２０は、両面表示型の携帯電話で言えば、メイン表示パネルに対応し、導光板１１の発光面積とほぼ同一の表示面積を有する。液晶表示パネル２０は、ガラスなどの基板１ａ及び２ａを、シール材３ａを介して貼り合わせてセル構造を形成し、その内部に液晶４ａを封入して構成される。なお、本発明では、液晶表示パネル２０の構造は特定のものに限定されない。
【００１６】
照明装置９と液晶表示パネル２０との間には、光学シートとして、例えば、拡散シート１２ａ、プリズムシート１３ａが設けられる。拡散シート１２ａは、導光板１１より出射された光Ｌａを全方位に拡散する役割を有する。プリズムシート１３ａは、光Ｌａを液晶表示パネル２０に集光する役割を有し、断面が略三角形のプリズム形状を一辺の方向（当該断面と垂直な辺の方向）に延在させた形状を有する。導光板１１から出射した光Ｌａは、これらの光学シートを通過した後、液晶表示パネル２０を透過することにより照明する。
【００１７】
一方、液晶表示パネル３０は液晶表示パネル２０よりも小型であり、液晶表示パネル２０よりも表示面積が小さいパネルである。液晶表示パネル３０は、両面表示型の携帯電話で言えば、サブ表示パネル（メイン表示パネルの背面に設けられた小型の表示パネル）に相当する。液晶表示パネル３０もガラスなどの基板１ｂ及び２ｂを、シール材３ｂを介して貼り合わせ、その内部に液晶４ｂを封入して構成される。なお、本発明では液晶表示パネル３０の構造は特定のものに限定されない。
【００１８】
液晶表示パネル３０と導光板１０との間には、光学シートとして、例えば、拡散シート１２ｂ、プリズムシート１３ｂが設けられる。拡散シート１２ｂは、導光板１１より出射された光Ｌｂを全方位に拡散し、プリズムシート１３ｂは拡散された光Ｌｂを集光して液晶表示パネル３０に導く。導光板１１から出射した光Ｌｂは、これらの光学シートを通過した後、液晶表示パネル３０を透過することにより照明する。
【００１９】
（照明装置の構造）
次に、本実施形態に係る照明装置９の構造について詳しく述べる。照明装置９は、先にも述べたように、光源部１５と導光板１１により構成される。図２に導光板１１の斜視図を示す。図２は、導光板１１を光源部１５の方向から見たときの斜視図である。
【００２０】
図２に示すように、導光板１１は、端面１１ｃと出射面１１ａが斜面１１ａｃで接続され、端面１１ｃと出射面１１ｂが斜面１１ｂｃで接続され、斜面１１ａｃと斜面１１ｂｃの間の厚さが、端面１１ｃから出射面１１ａ、１１ｂに向かうに従い、次第に薄くなる形状を有する。従って、端面１１ｃより入射した光Ｌは、正確には、斜面１１ａｃ、１１ｂｃで反射を繰り返した後、出射面１１ａ、１１ｂで反射を繰り返して、出射面１１ａ、１１ｂから夫々、照明光Ｌａ及びＬｂとして外部へ出射する。
【００２１】
図３（ａ）は、光学シートを取り付けた一般的な照明装置２９の側面図を示し、図３（ｂ）は、光学シートを取り付けた本実施形態に係る照明装置９の側面図を示す。
【００２２】
図３（ａ）に示すように、一般的な照明装置２９における導光板２１は、例えば矩形状をなしており、その厚さは、光源部１５の光の出射する面の厚さと略同じとするため、０，６[ｍｍ]程度となる。そのため、拡散シート１２ａ、１２ｂ、プリズムシート１３ａ、１３ｂが、導光板２１に取り付けられた場合、照明装置２９の厚さは、１．０[ｍｍ]程度となる。
【００２３】
一方、図３（ｂ）に示すように、本実施形態に係る照明装置９における導光板１１では、端面１１ｃにおける厚さは、０．６[ｍｍ]程度となっているものの、斜面１１ａｃと斜面１１ｂｃの間の厚さは、端面１１ｃから出射面１１ａ、１１ｂに向かうに従い、次第に薄くなっていく形状を有する。従って、出射面１１ａ、１１ｂの間の厚さは、０．４５〜０．５[ｍｍ]程度となる。そのため、拡散シート１２ａ、プリズムシート１３ａが出射面１１ａ上に取り付けられ、拡散シート１２ｂ、プリズムシート１３ｂが出射面１１ｂ上に取り付けられたときの照明装置９の厚さは、０．９[ｍｍ]以下となる。
【００２４】
以上のことから分かるように、本実施形態に係る照明装置９では、導光板１１は、端面１１ｃと出射面１１ａが斜面１１ａｃで接続され、端面１１ｃと出射面１１ｂが斜面１１ｂｃで接続され、斜面１１ａｃと斜面１１ｂｃの間の厚さが、端面１１ｃから出射面１１ａ、１１ｂに向かうに従い、次第に薄くなる構造を有する。これにより、導光板１１における出射面１１ａ、１１ｂの間の厚さを薄くすることができる。従って、本実施形態に係る照明装置９は、光学シートを取り付けた場合であっても、一般的な照明装置２９と比較して薄型化を図ることができ、引いては、本実施形態に係る液晶表示装置１００の薄型化を図ることができる。
【００２５】
なお、上述の実施形態では、照明装置により照明される表示パネルとして液晶表示パネルを挙げたが、これに限られるものではない。照明装置より出射された光を透過することによって照明される表示パネルであれば、液晶表示パネル以外の表示パネルを用いるとすることもできる。例えば、有機エレクトロルミネッセンスパネル、プラズマディスプレイパネル、フィールドエミッションディスプレイなどの表示パネルを用いるとすることもできる。
【００２６】
また、上述の実施形態では、光学シートの構成として、出射面に拡散シートとプリズムシートがこの順に出射面に取り付けられるとしているが、光学シートの構成としてはこれに限られず、種々の構成が可能であることは言うまでもない。
【００２７】
[電子機器]
次に、本実施形態に係る液晶表示装置１００を適用可能な電子機器の具体例について図４を参照して説明する。
【００２８】
図４は、本発明に係る電子機器の一実施形態である携帯電話機２０００を示す。この携帯電話機２０００は、各種操作ボタンが設けられマイクを内蔵した本体部２００１と、表示画面やアンテナを備えスピーカを内蔵した表示部２００２とを有し、本体部２００１と表示部２００２とが相互に折りたたみ自在に構成されている。図４（ａ）は、携帯電話機２０００を開いたときの図を示し、図４（ｂ）は、携帯電話機２０００を折りたたんだときの図を示す。表示部２００２内には上記の表示装置１００が内蔵され、その内面上にはメイン側の液晶表示パネル２０の表示画面１１０が視認可能に構成され、また、外面上にはサブ側の液晶表示パネル３０の表示画面１３０が視認可能に構成されている。
【図面の簡単な説明】
【００２９】
【図１】本実施形態に係る液晶表示装置の構成を示す側面図である。
【図２】本実施形態に係る導光板の斜視図である。
【図３】光学シートを取り付けた場合の照明装置の断面図である。
【図４】本実施形態の液晶表示装置を適用した電子機器の例を示す図である。
【符号の説明】
【００３０】
９  照明装置、  １１  導光板、  １５  光源部、  １６  ＬＥＤ、  １２ａ、１２ｂ  拡散シート、  １３ａ、１３ｂ  プリズムシート、  ２０、３０  液晶表示パネル、  １００  液晶表示装置
【図１】
2007299716.tif 000003
【図２】
2007299716.tif 000004
【図３】
2007299716.tif 000005
【図４】
2007299716.tif 000006